(57)【特許請求の範囲】
【請求項１】
上下方向に積み重ね可能な角型の物流用容器と、
この物流用容器の一側面の上下両側にそれぞれ２個ずつ横方向に離して設けられたコアと、
前記物流用容器の一側面に設けられた上下両側の前記コア間に位置して設けられ、内部に、上下両端が前記物流用容器の一側面の上下両側に２個ずつ存する前記コアに接する２個のコア、これら２個のコアのうちの少なくとも一方のコアに巻回された電波信号送受のためのアンテナ用コイルおよびこのアンテナ用コイルが電波信号を受信することにより誘起される起電力から動作電源を得てデータを送受するデータキャリアを設けたカードと、
電波信号を送信および受信するための送信アンテナ用コイルおよび受信アンテナ用コイルを互いに平行状態に配設して有し前記データキャリアと通信を行うデータキャリア用リーダライタと
を備え、
前記物流用容器を鉄板上に複数個積み重ねたとき、最下段の前記物流用容器の一側面の下側に存する前記２個のコアが前記鉄板に接触すると共に、互いに上下に積み重ねられた前記物流用容器の一側面の上下両側に存する前記２個のコアどうしが互いに接触し、
前記データキャリア用リーダライタを、前記送信アンテナ用コイルおよび受信アンテナ用コイルの中心軸が上下方向となるようにして、前記鉄板上に積み重ねられた最上段の前記物流用容器の一側面の上側に存する前記２個のコアの上に位置させて送受信動作を行ったとき、積み重ねられた前記物流用容器の上下両側の２個のコア、前記カードの内部の２個のコアおよび前記鉄板によって前記データキャリア用リーダライタの前記送信アンテナ用コイルおよび受信アンテナ用コイルと前記データキャリアの前記アンテナ用コイルとの電波信号の送受のための磁気回路が形成されるように構成したことを特徴とする物流用容器のデータキャリアリードライトシステム。
【請求項２】
請求項１記載の物流用容器のデータキャリアリードライトシステムに用いられるデータキャリア用リーダライタにおいて、
２組の送信アンテナ用コイルと受信アンテナ用コイルの組を、前記物流用容器の上下両側の２個のコアの横方向の離間間隔分だけ隔て、且つ各組の送信アンテナ用コイルどうし、受信アンテナ用コイルどうしが互いに逆巻きとなるように設けたことを特徴とするデータキャリア用リーダライタ。
【請求項３】
前記２組の送信アンテナ用コイルと受信アンテナ用コイルの組は、ほぼＵ字形のコアの両側に巻装されていることを特徴とする請求項２記載のデータキャリア用リーダライタ。
【発明の詳細な説明】
【０００１】
【発明の属する技術分野】
本発明は、電波信号によりアンテナ用コイルに誘起される起電力から動作電源を得る構成のデータキャリア、このデータキャリアを備えた皿、物流用容器およびカード、並びにデータキャリア用リーダライタに関する。
【０００２】
【発明が解決しようとする課題】
移動体の識別システムとして、例えば高周波の電波を利用したリモートＩＤシステムがある。これは、リーダライタとＩＤタグ（データキャリア）との間で電波による通信を行い、離れた位置にあるＩＤタグにデータを書き込んだり、ＩＤタグからデータを読み取ったりするものである。
【０００３】
このようなリモートＩＤシステムは、配送システム、在庫管理システム、販売システムなど種々のシステムに応用することが考えられている。その一例として、例えば回転すし店の集計システムがある。この集計システムの概要は、すしを載せる皿にＩＤタグを埋め込んでおき、そのＩＤタグにすしの種類、作った時刻、売値などのデータを書き込む。そして、客が食事を終えたとき、食べたすしの皿を一か所に集めて集計用のリーダライタによりそれら皿のＩＤタグと通信し、そしてＩＤタグからデータを得て客の支払うべき金額を算出するというものである。
【０００４】
このリモートＩＤシステムにおいて、ＩＤタグとしては、主にバッテリを搭載しない電源外部依存型のものが用いられる。この電源外部依存型のＩＤタグに対しては、リーダライタから電力用電波信号を送るようにしており、この電波信号を受信することによってＩＤタグは動作する。すなわち、ＩＤタグのアンテナはコイルから構成されており、このアンテナ用コイルにリーダライタから発せられた電波信号である磁束が鎖交（受信）すると、当該アンテナ用コイルに起電力が誘起されるので、この誘導起電力により発生する交流を整流平滑化して動作用の直流電源を形成し、データの読み書き動作を行うように構成されている。
【０００５】
ところで、回転すし店の集計システムでは、客の支払い額を集計する場合、積み重ねられた皿の上方にリーダライタを持っていって上方から電波信号を送るようにする。しかしながら、リーダライタから送信される電波信号はそれ程強くないため、読み取り可能な枚数には限度があり、積み重ねられた皿の枚数が多い場合には、下の方の皿まで電波信号が届かず、下の方の皿のＩＤタグが動作できなくなることがある。そこで、回転すし店では、積み重ねられている皿の横でリーダライタを上下に動かしながらデータを読み取るようにしているが、これでは、読み取りに時間がかかる上、リーダライタを動かさねばならず、煩雑であるという問題があった。
【０００６】
本発明は上記の事情に鑑みてなされたもので、その第１の目的は、物流用容器が積み重ねられることにより、その物流用容器に設けられたデータキャリアが、リーダライタから離れた位置に置かれる状態となっても、動作のために必要な電力を得ることができる物流用容器のデータキャリアリードライトシステムを提供するところにある。また、本発明の第２の目的は、電波信号を効率良くデータキャリアに伝達することができるデータキャリア用リーダライタを提供するところにある。
【０００７】
【課題を解決するための手段】
請求項１記載の発明によれば、複数個の物流用容器を鉄板上に積み重ねると、それら物流用容器のコア、カードのコアによって、データキャリア用リーダライタとカード内に設けられたデータキャリアとの通信のための磁気回路が形成されるので、リーダライタから送信された電波信号（磁束）は、その磁気回路を漏れの少ない状態で通るようになる。このため、積み重ねられた物流用容器のデータキャリアに効率良く電波信号を伝達でき、一度に読み書き可能な数を増大することができる。
【００１０】
請求項２記載の発明によれば、２組の送信アンテナ用コイルと受信アンテナ用コイルの組を、物流用容器の上下両側に設けられた２個のコアの横方向の離間間隔分だけ隔てて、且つ各組の送信アンテナ用コイルどうし、受信アンテナ用コイルどうしが互いに逆巻きとなるように設けたので、データキャリアとの間で電波信号を効率良く送受することができる。
請求項３記載の発明によれば、上記の２組の送信アンテナ用コイルと受信アンテナ用コイルはほぼＵ字形のコアに巻装されているので、リーダライタとデータキャリアとの間での電波信号の送受をより一層効率良く行うことができる。
【００１１】
【発明の実施の形態】
以下、本発明の第１実施例を回転すし店の集計システムに適用して図１〜図５を参照しながら説明する。
まず、回転すし店とは、次のようなシステムの店である。店内には、ループ状のコンベアが設けられ、このコンベアに沿って客席が設けられている。すしは皿に載せられ、コンベアによって客席へと運ばれる。客は、コンベアによって運ばれて来る皿のうちから、好みのすしがのせられている皿を取り、食べ終えた皿はテーブル上に重ね置いて行く。店側では、すしをその売値に応じた色或いは模様の皿に載せるので、客は、重ね置いた皿の種類と枚数とから店に支払うおおよその金額を知ることができるようになっている。食事を終えた後は、店員によって皿の枚数が色或いは模様別に数えられ、店に支払うべき金額が計算される。
【００１２】
さて、図４に示すように、すしをのせる皿１（物品；データ取得対象物）は、例えばメラミン樹脂などのプラスチック製のもので、その内部には、電波信号を送受信するためのアンテナ用コイル２とタグ本体３とを備えたデータキャリアとしてのＩＤタグ４が埋め込まれている。タグ本体３は、図２に示すように、共振コンデンサ５と、制御用ＩＣチップ６と、平滑部７とをプリント基板８に実装して構成されている。
【００１３】
制御用ＩＣチップ６は、制御手段としてのＭＰＵ（マイクロプロセッサユニット）９の他、整流部１０、変復調部１１、メモリ部１２などを構成する半導体素子をワンチップ化したものである。また、平滑部７は、図示はしないが平滑コンデンサ、ツェナーダイオードを有している。
【００１４】
共振コンデンサ５は、アンテナ用コイル２と並列に接続されて共振回路１３を構成する。この共振回路１３は、外部から所定の高周波の電力用電波信号が送信されて来ると、これをアンテナ用コイル２により受信し、その受信した電力用電波信号を整流部１０に入力する。整流部１０は平滑部７と共に動作用電源形成部としての電源回路を構成するもので、電力用電波信号を整流し且つ平滑して一定電圧の直流電源（動作電源）にしてＭＰＵ９などに供給する。
【００１５】
外部のリーダライタから送られるデータ信号は、電力用電波信号に重畳して送信されるようになっており、その信号は変復調部１１により復調されてＭＰＵ９に与えられる。ＭＰＵ９は、メモリ部１２が有するＲＯＭに記憶された動作プログラムに従って動作するもので、変復調部１１から入力される信号に応じた処理を実行し、受信したデータをメモリ部１２が有するＥＥＰＲＯＭなどの消去可能な不揮発性メモリに書き込んだり、メモリ部１２からデータを読み出して変復調部１１により変調し、アンテナ用コイル２から電波信号として送信したりする。
【００１６】
この皿１のＩＤタグ４と通信するリーダライタとして、図１および図５に示すような手持式の集計器１４がある。この手持式集計器１４は、客が食べた種類別皿数を検出して支払い金額を演算したりするためのもので、動作用電源として電池を内蔵している。この集計器１４は、手持ち可能な操作部１５の先端に頭部１６を設けてなり、操作部１５には各種のキー（図示せず）が設けられていると共に、頭部１６にはＬＣＤからなる表示部１７（図３参照）が設けられている。
【００１７】
手持式集計器１４の内部には、図３に示すように、ＭＰＵ１８、ＲＯＭ１９、ＲＡＭ２０などが設けられている。ＭＰＵ１８は、操作部１５側から信号を受けると、ＲＯＭ１９に記憶された動作プログラムに従って動作し、操作部１５の操作内容、集計金額などは表示器１７に表示されるようになっている。
【００１８】
また、集計器１４の頭部１６には、皿１のＩＤタグ４との間で通信を行うための送信アンテナ用コイル２１および受信アンテナ用コイル用コイル２２が前後の位置関係をもって設けられている。ＭＰＵ１８は、皿１側と通信する際、まずキャリア信号のみを変調部２３で変調して送信部２４から送信アンテナ用コイル２１を介して電力用電波信号として送信する。その後、ＭＰＵ１８は、送信すべきデータをＲＡＭ２０から読み出して変調部２３により電力用電波信号に重畳するように変調し、送信部２４から送信アンテナ用コイル２１を介して送信する。
【００１９】
一方、皿１側から発信された電波信号は、受信アンテナ用コイル２２を介して受信部２５により受信され、復調部２６により復調されてデータとして弁別される。ＭＰＵ１８は、復調部２６から送られてくるデータをＲＡＭ２０に記憶させ、最終的にＲＡＭ２０に記憶されたデータから例えば客が支払うべき金額を計算する。
【００２０】
しかして、図１および図４に示すように、前記皿１の底部には、円形の糸底２７が一体に設けられていると共に、この糸底２７に囲まれた部分の中心に位置して当該糸底２７と同一突出高さの突部２８が一体に設けられている。上記糸底２７内には、短円筒状に形成された磁性体製のコア２９が埋め込まれていると共に、突部２８内には、丸棒状に形成された磁性体製のコア３０が埋め込まれている。これら両コア２９，３０は、共に両端が皿１の重ね合わせ方向である上下方向に位置している。そして、前記アンテナ用コイル２は、突部２８内に埋め込まれたコア３０に巻装されている。また、客が支払うべき金額を計算する集計器１４で計算する場合、客が食べた皿１は、図１に示すようにテーブル３１上にマット３２を敷いてその上に積み重ねる。この場合、マット３２は、磁束を通し易くするために、鉄粉などの磁性体の粉末が混入されたプラスチックにより形成されている。
【００２１】
次に上記構成の作用を説明する。
食事を済ませた客の支払い金額を集計するために、図１に示すように、マット３２の上に食べた皿１を積み重ねる。そして、集計器１４の操作部１５を手に持って頭部１６を積み重ねられた皿１の上に位置させ、操作部１５の集計用キーを操作する。すると、集計器１４の頭部１６に設けられている送信アンテナ用コイル２１から電力用電波信号が送信される。
【００２２】
ここで、積み重ねられた複数枚の皿１は、その突部２８内のコア３０が僅かなギャップを存して連続する棒状の磁気通路を構成すると共に、糸底２７内のコア２９が僅かなギャップを存して連続する円筒状の磁気通路を構成する。そして、このコア３０からなる棒状の磁気通路とコア２９からなる円筒状の磁気通路とがマット３２によって繋げられた状態となり、中央のコア３０から四方八方にほぼＵ字状の磁気回路が構成される。
【００２３】
このため、集計器１４の送信アンテナ用コイル２１から発せられ電波信号（磁束）は、図１に矢印Ｂ１で示すように、上記Ｕ字状の磁気回路を通って送信アンテナ用コイル２１に戻るようになる。そして、ＩＤタグ４のアンテナ用コイル２には、コア３０を通る電力用電波信号により起電力が誘起され、その起電力による交流電力が共振回路１３側から整流部１０および平滑部７に供給され、一定電圧の直流電力に変換されてＭＰＵ９などの動作用電源となる。
【００２４】
この場合、電力用電波信号は磁性体製のコア２９，３０やマット３２から構成される磁気回路を通るので、磁束の漏れが少なく、下の方の皿１であっても、そのアンテナ用コイル２には比較的大きな起電力が発生する。そして、集計器１４からのデータ信号は電力用電波信号に重畳して上記の磁気回路を通って送信され、また、皿１のＩＤタグ４のアンテナ用コイル２から発せられる電波信号も上記の磁気回路を通って送信されて集計器１４の受信アンテナ用コイル２２に受信される。このため、相当枚数の皿１を積み重ねても、集計器１４は全ての皿１のＩＤタグ４と通信でき、客への請求金額を正しく計算することができる。
【００２５】
図６は本発明の第２実施例を示す。この第２実施例が上記第１実施例と相違するところは、集計器１４のアンテナ部分の構成にある。以下、図６に図１と同一部分には同一符号を付して説明を省略し、異なる部分のみ説明する。
集計器１４の頭部１６の内部には、鉄など磁性体製のコア３３が設けられている。このコア３３は、両側に立上部３３ａおよび３３ｂを折曲形成したほぼＵ字状をなし、集計器１４の前面側を下に向けたとき、その立上部３３ａおよび３３ｂが下向きとなるように頭部１６内に配設されている。この立上部３３ａおよび３３ｂの間隔は、皿１の短円筒状のコア２９と棒状のコア３０の径方向間隔とほぼ同じに定められている。
【００２６】
コア３３の両側のコア３３ａおよび３３ｂには、送信アンテナ用コイル３４ａ，３４ｂと受信アンテナ用コイル３５ａ，３５ｂとが前後に並べて１組ずつ巻装されている。この場合、両コア３３ａおよび３３ｂに巻回された送信アンテナ用コイル３４ａおよび３４ｂは巻方向が互いに逆になっていると共に、両コア３３ａおよび３３ｂに巻回された受信アンテナ用コイル３５ａおよび３５ｂも巻方向が互いに逆になっている。
【００２７】
このように構成した本実施例によれば、マット３２上に皿１を積み重ね、そして、集計器１４の頭部１６を下向きにして皿１の上に位置させ、コア３３の両側の立上部３３ａおよび３３ｂを皿１のコア２９および３０に合わせるようにする。すると、コア２９、マット３２、コア３０およびコア３３によってほぼ閉じた磁気回路が形成されるので、集計器１４および各皿１のＩＤタグ４から発せられる電波信号は図６に矢印Ｂ２で示すように上記磁気回路を通るようになって漏れの一層少ない状態で効率良く伝達され、その結果、読み書き可能な皿１の積み重ね枚数が一層増加する。
【００２８】
また、本実施例では、コア３３の両側の立上部３３ａおよび３３ｂにそれぞれ送信アンテナ用コイル３４ａおよび３４ｂと受信アンテナ用コイル３４ａおよび３４ｂの組を１組ずつ設けたので、送信アンテナ用コイル３３ａおよび３３ｂ、受信アンテナ用コイル３４ａおよび３４ｂをそれぞれ１個のコイルに構成して立上部３３ａ，３３ｂに巻装する場合に比べ、小スペースとなる。
【００２９】
しかも、送信アンテナ用コイル３３ａ，３３ｂと受信アンテナ用コイル３４ａ，３４ｂの組が２組設けられているので、各組のコイル３３ａおよび３４ａ，３３ｂ，３４ｂをそれぞれ円筒状のコア２９と中心のコア３０とに対向して配置できる、ＩＤタグ４とリーダライタ１５との間での電波信号の伝達を効率良く行うことができる。
【００３０】
図７は本発明の第３実施例を示す。この実施例はＩＤタグ４を物流用容器に設けたものである。すなわち、物流用容器としてのコンテナ３６の一側面部の内部には、ＩＤタグ４が埋め込まれていると共に、一対のコア３７および３８が埋め込まれている。コア３７および３８は、磁性体からなる丸棒状のもので、両端面がコンテナ３６の一側面部の上下両端面（コンテナ３６の積み重ね方向両端面）において露呈するように埋め込まれている。そして、両コア３７および３８のうち、一方のコア３７にアンテナ用コイル２が巻装されている。
【００３１】
複数個のコンテナ３６のＩＤタグ４に対してデータを読み書きするには、図７に示すように、下に鉄板３９を敷き、その上に複数個のコンテナ３６を積み重ねる。すると、各コンテナ３６に設けられたコア３７，３８の上下両端が互いに接触、或いは僅かな隙間を介して対向する状態となる。これにより、複数個のコンテナ３６のコア３７，３８および鉄板３９によって、ほぼＵ字状の磁気通路が形成される。
【００３２】
そして、最上位のコンテナ３６のコア３７，３８上に、上記第１実施例或いは第２実施例に示した集計器１４と同一構成のリーダライタ４０を当てて読み書き操作を行う。すると、リーダライタ４０から電波信号が送信されると共に、ＩＤタグ４から電波信号が送信され、その電波信号は上記の磁気通路を通るようになるので、前記第１実施例と同様の効果を得ることができる。
【００３３】
図８および図９は本発明の第４実施例を示す。この実施例は上記第３実施例と同様にコンテナ３６にＩＤタグ４を設けたものであるが、上記第３実施例との相違はＩＤタグ４をコンテナ３６に固着されたカード４１に設けたところにある。すなわち、コンテナ３６の一外側面にカード４１が接着などによって固着されている。このカード４１はプラスチック製で、その内部にＩＤタグ４が埋め込まれていると共に、一対のコア４２および４３が埋め込まれている。コア４２および４３は、磁性体からなる丸棒状のもので、両端面がカード４１の上下両端面  （コンテナ３６の積み重ね方向両端面）において露呈するように埋め込まれている。そして、両コア４２および４３のうち、一方のコア４２にアンテナ用コイル２が巻装されている。
【００３４】
複数個のコンテナ３６のＩＤタグ４に対してデータを読み書きするには、図８に示すように、下に鉄板３９を敷き、その上に複数個のコンテナ３６を積み重ねる。すると、各コンテナ３６のカード４１に設けられたコア４２，４３の上下両端が互いに接触し、或いは僅かな隙間を介して対向する状態となる。これにより、複数個のカード４１のコア４２，４３および鉄板３９によって、ほぼＵ字状の磁気通路が形成される。
【００３５】
図１０は本発明の第５実施例を示す。この実施例は上記第４実施例と同様にコンテナ３６にカード４１を取り付けるようにしたもので、上記第４実施例と相違するところは、コンテナ３６の外側面にカード４１の上下両側に位置してコア４４〜４７を設けたところにある。
すなわち、コンテナ３６の一外側面には、その上下両側に位置するようにして左右一対のコア４４および４５，４６および４７が固着されている。そして、それら上下のコア４４，４５および４６，４７間に位置するようにしてカード４１が固着されており、カード４１の左右一対のコア４２，４３は、上下両側に位置するコア４４および４６，４５および４７に接触している。
【００３６】
複数個のコンテナ３６のＩＤタグ４に対してデータを読み書きするには、下に鉄板（図示せず）を敷き、その上に複数個のコンテナ３６を積み重ねる。すると、各コンテナ３６の上下両側のコア４４〜４７が相互に接触し、或いは極く僅かな隙間を介して対向する状態になる。これにより、各コンテナ３６のコア４４，４２，４６が上下に連なると共に、コア４３，４５，４７が上下に連なり、それらコア４２〜４７および鉄板によってほぼＵ字状の磁気通路が形成されるようになるので、上記第１実施例と同様の効果を得ることができる。
【００３７】
また、本実施例では、特にコンテナ３６にカード４１の上下に位置するコア４４〜４７を設けたので、コンテナ３６の大きさ（深さ）に応じてコア４４〜４７の長さを調節することにより、一種類のカード４１を深さの異なる多種類のコンテナ３６に適用することができる。
【００３８】
図１１および図１２は本発明の第６実施例を示すもので、この実施例はコンテナ（図示せず）に取り付けられるカード４８を着脱可能にし、カード４８に埋め込めれたＩＤタグ４に対する読み書きはカード４８を重ねた状態で行うようにしたことを特徴とする。
すなわち、カード４８はプラスチック製で、その内部にＩＤタグ４が埋め込まれていると共に、一対のコア４９および５０が埋め込まれている。コア４９および５０は、磁性体からなる角形ブロック状のもので、その両端面がカード４８の表裏両面（カード４８の積み重ね方向両面）に位置するように埋め込まれている。そして、両コア４９および５０のうち、一方のコア４９にＩＤタグ４のアンテナ用コイル２が巻装されている。
【００３９】
ＩＤタグ４に対してデータを読み書きするには、コンテナに取り付ける前の複数個のカード４８、或いはコンテナから取り外した複数個のカード４８を鉄板５１の上に表裏両面が上下となるようにして積み重ねる。すると、各カード４８のコア４９，５０の上下両端が僅かな隙間を介して対向する状態となるので、複数枚のカード４８のコア４９，５０および鉄板５１によって、ほぼＵ字状の磁気回路が形成される。
【００４０】
そして、最上位のカード４８の上に、リーダライタ４０を当てて読み書き操作を行う。すると、リーダライタ４０およびＩＤタグ４から電波信号が発信される。この電波信号は、上記の磁気回路を通るようになるので、上記第１実施例と同様の効果を得ることができる。また、この実施例では、カード４８をコンテナから取り外すことができるので、カード４８をコンテナ専用とせずとも他の物品に取り付けて使用でき、汎用性が高まる。
【００４１】
なお、本発明は上記し且つ図面に示す実施例に限定されるものではなく、以下のような拡張或いは変更が可能である。
各実施例において、ＩＤタグ４のアンテナ用コイル２は、他のコア２９，３８，４３，５０にも巻回しても良い。
各実施例において、ＩＤタグ４のコアは２個に限らず、３個以上設けるようにしも良い。
図１０に示す第５実施例において、カード４１はコンテナ３６に対して着脱可能とし、他の物品に取り付け得るようにしても良い。
第２実施例における集計器１４で、コア３３はなくとも良い。
ＩＤタグ４を設ける物品は、重ね合わせ可能であれば良い。
【図面の簡単な説明】
【図１】本発明の第１実施例を示すもので、ＩＤタグに対して読み書きする状態を示す縦断側面図
【図２】ＩＤタグの電気的構成を示すブロック図
【図３】集計器の電気的構成を示すブロック図
【図４】皿を示すもので、（ａ）は下から見た斜視図、（ｂ）は糸底部分で切断して示す横断底面図
【図５】集計状態を示す側面図
【図６】本発明の第２実施例を示す図１相当図
【図７】本発明の第３実施例を示すもので、読み書き時の状態を示す斜視図
【図８】本発明の第４実施例を示す図７相当図
【図９】カード単体の斜視図
【図１０】本発明の第５実施例を示す要部の側面図
【図１１】本発明の第６実施例を示す図１相当図
【図１２】カードの平面図
【符号の説明】
図中、１は皿（物品）、２はアンテナ用コイル、４はＩＤタグ（データキャリア）、１４は集計器（リーダライタ）、２１は送信アンテナ用コイル、２２は受信アンテナ用コイル、２９，３０はコア、３３はコア、３４ａ，３４ｂは送信アンテナ用コイル、３５ａ，３５ｂは受信アンテナ用コイル、３６はコンテナ（物流用容器，物品）、３７，３８はコア、４０はリーダライタ、４１はカード（物品）、４２〜４７はコア、４８はカード（物品）、４９，５０はコアである。
【図１】
0003893440.tif 000002
【図２】
0003893440.tif 000003
【図３】
0003893440.tif 000004
【図４】
0003893440.tif 000005
【図５】
0003893440.tif 000006
【図６】
0003893440.tif 000007
【図７】
0003893440.tif 000008
【図８】
0003893440.tif 000009
【図９】
0003893440.tif 000010
【図１０】
0003893440.tif 000011
【図１１】
0003893440.tif 000012
【図１２】
0003893440.tif 000013